(57)【要約】【課題】      バケツが着水後容易に傾いて水汲みが出来ると共に安定してバケツが引き上げられる釣り用水汲みバケツを提供することである。【解決手段】  バケツ本体１の上方の開口１ａの対向する両位置の周面１ｂにハンドル止着部２、２が固定され、ハンドル止着部２、２にＵ字状のハンドル３が回動自在に取り付けられてハンドル３の外側には金属製の環状部材からなるハンドル取り付け部４が移動可能に嵌められてハンドル取り付け部４に吊り下げロ−プ５が連結され、ハンドル３は握り部３ａとその両端側から杆部３ｂ、３ｂが下方に向けて突設されてＵ字状に形成されると共に、握り部３ａの長さ方向の中央の下側に凹部３ｃが形成されて杆部３ｂ、３ｂから凹部３ｃの両側に向けて傾斜部３ｄ、３ｄが形成されている。【選択図】        図１
2008048608.tif 000002
【特許請求の範囲】
【請求項１】
Ｕ字状のハンドルを有する釣り用水汲みバケツにおいて、前記ハンドルに沿って移動可能に吊り下げロ−プの一端側を取り付け、前記ハンドルの中央側に前記吊り下げロ−プのハンドル取り付け部が嵌まる凹部を設けたことを特徴とする釣り用水汲みバケツ。
【請求項２】
ハンドルの凹部の両側に凹部に向かう傾斜部が形成されていることを特徴とする請求項１記載の釣り用水汲みバケツ。
【発明の詳細な説明】
【技術分野】
【０００１】
本発明は、水汲み後バケツを安定した状態で引き上げられる釣り用水汲みバケツの改良に関する。
【背景技術】
【０００２】
従来釣り用水汲みバケツに硬質の把手を取り付け、この把手に金属環を介してロ−プを取り付けて水汲み後バケツを引き上げるようにしたバケツがある。
把手に金属環を介してロ−プを取り付けるとバケツが着水した後把手が自由に移動してバケツを傾けることが容易であるが、水汲み後バケツを引き上げる時、金属環の位置が把手の中央に移動していないと、バケツのバランスがとれず、傾くと水がこぼれてしまうことになり、安定した水汲みが出来ない。
特許文献１では把手の中央に紐に付けた連結具が左右に移動しないようにした例が示されている。
しかし、この例ではバケツが傾き難いので水汲みが容易でない。
【特許文献１】特開平１１−５６１９１号公報
【発明の開示】
【発明が解決しようとする課題】
【０００３】
解決しようとする問題点は、把手に金属環を介してロ−プを取り付けて水汲みバケツでは、バケツを引き上げる時に金属環の位置が不定なのでバケツのバランスがとれず、傾くと水がこぼれてしまうことになり、安定した水汲みが出来ないことである。
特許文献１では把手の中央に紐に付けた連結具が左右に移動しないようにした例が示されているが、この例ではバケツが傾き難いので水汲みが容易でない。
【０００４】
本発明の目的は前記欠点に鑑み、バケツが着水後容易に傾いて水汲みが出来ると共に安定してバケツが引き上げられる釣り用水汲みバケツを提供することである。
【課題を解決するための手段】
【０００５】
本発明の請求項１は、Ｕ字状のハンドルを有する釣り用水汲みバケツにおいて、前記ハンドルに沿って移動可能に吊り下げロ−プの一端側を取り付け、前記ハンドルの中央側に前記吊り下げロ−プのハンドル取り付け部が嵌まる凹部を設けたことを要旨とするものである。
本発明の請求項２は、ハンドルの凹部の両側に凹部に向かう傾斜部が形成されていることを要旨とするものである。
【発明の効果】
【０００６】
本発明により、ハンドルの握り部の中央に凹部を設け、凹部の両側に凹部に向けて傾斜した傾斜部を設けることで、ハンドルのいずれかの位置にある金属製の環状部材からなるハンドル取り付け部を吊り下げロ−プを引き上げることで凹部に嵌めることができて水を汲んだバケツ本体を安定した状態で引き上げることが出来る。
【発明を実施するための最良の形態】
【０００７】
釣り用水汲みバケツはバケツ本体１の上方の開口１ａの対向する両位置の周面１ｂにハンドル止着部２、２が固定されている。
ハンドル止着部２、２にはＵ字状のハンドル３が回動自在に取り付けられている。
ハンドル３には金属製の環状部材からなるハンドル取り付け部４が遊嵌され、ハンドル３に沿って移動可能に取り付けられて金属製の環状部材からなるハンドル取り付け部４に吊り下げロ−プ５が連結されている。
ハンドル３の形状は、中央側の握り部３ａとその両端側から杆部３ｂ、３ｂが下方に向けて突設されてＵ字状に形成されると共に、握り部３ａの長さ方向の中央の下側に凹部３ｃが形成されて杆部３ｂ、３ｂから凹部３ｃの両側に両側の杆部３ｂ、３ｂに向かう湾曲状に傾斜した傾斜部３ｄ、３ｄが形成されている。
杆部３ｂ、３ｂの下側に支持部３ｅ、３ｅが形成され、支持部３ｅ、３ｅの内側に球頭を有する回動軸３ｆ、３ｆが形成されている。
回動軸３ｆ、３ｆはハンドル止着部２、２の透孔２ｄに嵌合されると共にハンドル止着部２、２とハンドル３の支持部３ｅ、３ｅは回動自在状態にある。
ハンドル３は開口１ａ上方をア−チ状に跨ぐように架設されている。
【実施例１】
【０００８】
以下、図示の実施例によって本発明を説明すると、図１から図３は第１実施例で、図１はロ−プで吊り下げられた釣り用水汲みバケツの要部断面側面図と一部拡大断面側面図、図２はバケツが着水された釣り用水汲みバケツの一部断面側面図、図３はバケツが水中に傾けられた釣り用水汲みバケツの一部断面側面図である。
【０００９】
釣り用水汲みバケツはバケツ本体１の上方の開口１ａの対向する両位置の周面１ｂにハンドル止着部２、２が固定されている。
ハンドル止着部２、２にはＵ字状のハンドル３が回動自在に取り付けられている。
ハンドル３には金属製の環状部材からなるハンドル取り付け部４が遊嵌され、ハンドル３に沿って移動可能に取り付けられて金属製の環状部材からなるハンドル取り付け部４に吊り下げロ−プ５が連結されている。
バケツ本体１は、例えばエチレン酢酸ビニ−ルや塩化ビニ−ル等の合成樹脂製シ−トで形成され防水性と柔軟性を有している。
バケツ本体１の周面１ｂの開口縁に金属線６がシ−ト材で包み込まれ、周面１ｂは開口１ａにおいて内側から外側へ折り返されて折り返し部１ｃが周面１ｂに縫着や高周波溶着等で固定されている。
バケツ本体１は周囲の周面１ｂの下端に底面１ｄの周囲が高周波溶着等で溶着固定されて開口が四角形の直方体に形成されている。
バケツ本体１は高さ方向で折り畳み可能に形成してもよい。
【００１０】
ハンドル止着部２は、例えばエチレン酢酸ビニ−ルや塩化ビニ−ル等の合成樹脂で形成され、バケツ本体１の開口１ａに設けられており、上端部２ａと中間部２ｂと下端部２ｃで形成されている。
ハンドル止着部２の上端部２ａはバケツ本体１の開口上部より上方に突出されている。
中間部２ｂは折り返し部１ｃの外形に沿って屈曲形成され、下端部２ｃは折り返し部１ｃと周面１ｂに溶着等で固定されている。
ハンドル止着部２、２の上端部２ａには透孔２ｄが形成されている。
ハンドル止着部２、２の固定位置は、バケツ本体１の周囲の周面１ｂの一側の長さ方向の中央に固定する他、周面１ｂの一側の長さ方向の中間より一側に偏移した両位置に固定してもよい。
偏移した両位置に固定することでバケツ本体１が着水した後傾き易くなる。
【００１１】
ハンドル３は、例えばエチレン酢酸ビニ−ル等の合成樹脂製で金型により射出成形してＵ字状（ア−チ状）をしており、可撓性を有しているが上方に起立させた時Ｕ字状の形状を維持できるようになっている。
ハンドル３の形状は握り部３ａとその両端側から杆部３ｂ、３ｂが下方に向けて突設されてＵ字状に形成されると共に、握り部３ａの長さ方向の中央の下側（内側）に凹部３ｃが形成され、また、杆部３ｂ、３ｂと握り部３ａの間の下側（内側）が湾曲状に形成され、凹部３ｃの両側に両側の杆部３ｂ、３ｂに向かう傾斜部３ｄ、３ｄが杆部３ｂ、３ｂに連なるように形成されている。
杆部３ｂ、３ｂの下側に支持部３ｅ、３ｅが形成され、支持部３ｅ、３ｅの内側に球頭を有する回動軸３ｆ、３ｆが形成されている。
回動軸３ｆ、３ｆはハンドル止着部２、２の透孔２ｄに嵌合されると共にハンドル止着部２、２とハンドル３の支持部３ｅ、３ｅは回動自在状態にある。
ハンドル３は開口１ａ上方をア−チ状に跨ぐように架設されている。
【００１２】
釣り用水汲みバケツが金属製の環状部材からなるハンドル取り付け部４を介して吊り下げロ−プ５で吊り下げられる時は、金属製の環状部材からなるハンドル取り付け部４がハンドル３のどの位置にあっても、吊り下げロ−プ５が引き上げられると、握り部３ａの下側に形成した凹部３ｃに凹部３ｃの両側に両側の杆部３ｂ、３ｂに連なる湾曲状に傾斜した傾斜部３ｄ、３ｄを経て、これに誘導され金属製の環状部材からなるハンドル取り付け部４は凹部３ｃに嵌められて吊り下げロ−プ５で引き上げられる。
水汲みの時は、金属製の環状部材からなるハンドル取り付け部４を凹部３ｃから外して図１の２点鎖線のように側方にずらして吊り下げロ−プ５で吊した状態で水面に下ろすと図２から図３のようにバケツ本体１が着水後傾き、ハンドル３の重量でバケツ本体１が水中に沈むことになり、水がバケツ本体１に入った状態で吊り下げロ−プ５が引き上げられると、金属製の環状部材からなるハンドル取り付け部４が杆部３ｂから凹部３ｃに凹部３ｃの両側に両側の杆部３ｂ、３ｂに連なるように傾斜した傾斜部３ｄ、３ｄで杆部３ｂ、３ｂ側から凹部３ｃに向かって移動して金属製の環状部材からなるハンドル取り付け部４が凹部３ｃに嵌められる。
【００１３】
前記のようにハンドル３の握り部３ａの中央に凹部３ｃを設け、凹部３ｃの両側に凹部３ｃに向けて傾斜した傾斜部３ｄ、３ｄを設けることで、傾斜部３ｄ、３ｄは、ハンドル取り付け部４を杆部３ｂ、３ｂ側から凹部３ｃに向かって落とし込むように誘導するため、ハンドル３のいずれかの位置にある金属製の環状部材からなるハンドル取り付け部４が吊り下げロ−プ５を引き上げることで凹部３ｃに嵌り、安定した状態で水を汲んだバケツ本体１を引き上げることが出来る。
尚、ハンドル取り付け部４がハンドル３の中央の凹部３ｃに嵌る場合は、ハンドル取り付け部４が凹部３ｃ隙間無く差し込まれる他、余裕を有して嵌っていてもよく、つまり、吊り下げロ−プ５を引き上げ時に、ハンドル取り付け部４が凹部３ｃ内に移動を規制されて納まっていればよい。
【００１４】
前記のように釣り用水汲みバケツが構成されていると、ハンドル３の握り部３ａの中央に凹部３ｃを設けると共に、凹部３ｃの両側に凹部３ｃに向けて傾斜した傾斜部３ｄ、３ｄを設けることで、吊り下げロ−プ５を引き上げるとハンドル取り付け部４を凹部３ｃに嵌められるから、水を汲んだバケツ本体１を安定した状態で水をこぼさずに引き上げることが出来る。
【実施例２】
【００１５】
図４は第２実施例で、図４は吊り下げロ−プで吊り下げられた釣り用水汲みバケツの一部断面側面図である。
【００１６】
第２実施例では、釣り用水汲みバケツはバケツ本体１の上方の開口１ａの対向する両位置の周面１ｂの長さ方向の中間位置にハンドル止着部２、２が固定され、ハンドル止着部２、２にハンドル３が回動自在に嵌合されている。
ハンドル３の握り部３ａの外側に吊り下げロ−プ５の環部からなるハンドル取り付け部５ａが移動可能に嵌められている。
他の構成は前記第１実施例と略同一である。
【産業上の利用可能性】
【００１７】
本発明は釣り用水汲みバケツ全般に利用できる。
【図面の簡単な説明】
【００１８】
【図１】第１実施例で、ロ−プで吊り下げられた釣り用水汲みバケツの要部断面側面図と一部拡大断面側面図である。
【図２】同バケツが着水された釣り用水汲みバケツの一部断面側面図である。
【図３】同バケツが水中に傾けられた釣り用水汲みバケツの一部断面側面図である。
【図４】第２実施例で、吊り下げロ−プで吊り下げられた釣り用水汲みバケツの一部断面側面図である。
【符号の説明】
【００１９】
１  バケツ本体
３  ハンドル
３ｃ  凹部
３ｄ  傾斜部
５  吊り下げロ−プ
４、５ａ  取り付け部
【図１】
2008048608.tif 000003
【図２】
2008048608.tif 000004
【図３】
2008048608.tif 000005
【図４】
2008048608.tif 000006